(57)【要約】【課題】記録媒体に代理録画を実行する際に代理録画先のユーザに対して不都合な番組録画を防ぐことが可能な映像記録装置および映像記録方法を提供する。【解決手段】映像記録装置は、ユーザ情報を有する複数の記録媒体を接続可能な映像記録装置であって、番組を受信する映像受信部と、日時情報、番組情報及び予約ユーザ情報を含む番組予約情報を記録する予約情報記録部と、日時情報及び予約ユーザ情報に基づいて、番組を記録すべき記録媒体を特定する予約制御部と、特定された記録媒体に対して番組を記録させる記録制御部と、を備え、予約制御部は、予約ユーザ情報とユーザ情報が一致する記録媒体において番組を記録するための容量が不足する場合は、他ユーザが録画した番組に対して制限を行い、予約ユーザ情報とユーザ情報が一致する記録媒体が存在しない場合は、他ユーザが所有する記録媒体に対して代理録画を実行させる。【選択図】図１
2011249967.tif 000002
【特許請求の範囲】
【請求項１】
ユーザ情報を有する複数の記録媒体を接続可能な映像記録装置であって、
番組を受信する映像受信部と、
少なくとも日時情報、番組情報及び予約ユーザ情報を含む番組予約情報を記録する予約情報記録部と、
前記番組予約情報の前記日時情報及び前記予約ユーザ情報に基づいて、前記番組情報で特定される番組を記録すべき記録媒体を特定する予約制御部と、
特定された前記記録媒体に対して、前記映像受信部が受信した番組を記録させる記録制御部と、を備え、
前記予約制御部は、前記予約ユーザ情報とユーザ情報が一致する記録媒体において前記番組情報で特定される番組を記録するための容量が不足する場合は、他のユーザが録画した番組に対して制限を行い、前記予約ユーザ情報とユーザ情報が一致する記録媒体が存在しない場合は、他のユーザが所有する記録媒体に対して代理録画を実行させる、ことを特徴とする映像記録装置。
【請求項２】
前記予約制御部は、他のユーザが所有する記録媒体に対して代理録画を実行させる場合に、前記他のユーザの視聴制限情報及び前記番組予約情報の前記番組情報に含まれる視聴制限情報に基づいて録画可否を判断する、ことを特徴とする請求項１に記載の映像記録装置。
【請求項３】
ユーザ情報を有する複数の記録媒体を接続可能な映像記録装置における映像記録方法であって、
少なくとも日時情報、番組情報及び予約ユーザ情報を含む番組予約情報を記録する予約情報記録ステップと、
前記番組予約情報の前記日時情報及び前記予約ユーザ情報に基づいて、前記番組情報で特定される番組を記録すべき記録媒体を特定する予約制御ステップと、
特定された前記記録媒体に対して、受信した番組を記録させる記録制御ステップと、を有し、
前記予約制御ステップは、前記予約ユーザ情報とユーザ情報が一致する記録媒体において前記番組情報で特定される番組を記録するための容量が不足する場合は、他のユーザが録画した番組に対して制限を行い、前記予約ユーザ情報とユーザ情報が一致する記録媒体が存在しない場合は、他のユーザが所有する記録媒体に対して代理録画を実行させる、ことを特徴とする映像記録方法。
【請求項４】
前記予約制御ステップは、他のユーザが所有する記録媒体に対して代理録画を実行させる場合に、前記他のユーザの視聴制限情報及び前記番組予約情報の前記番組情報に含まれる視聴制限情報に基づいて録画可否を判断する、ことを特徴とする請求項３に記載の映像記録方法。
【発明の詳細な説明】
【技術分野】
【０００１】
本発明は映像記録装置及び映像記録方法に関し、更に詳しくは、複数のユーザ間で記録媒体を共有する映像記録装置および映像記録方法に関する。
【背景技術】
【０００２】
従来、同一ネットワーク上に接続された複数の記録再生装置を利用して代理録画を行う記録再生システムがある（例えば、特許文献１参照）。この記録再生システムでは、記録再生装置は、特定のユーザが所有する記録再生装置であって、ユーザ名やパスワードで所有者が特定されている。
【０００３】
各ユーザが実行する番組録画は、通常、番組録画を指示するユーザが所有する記録再生装置に実行されるが、時間的に重複する複数の番組を録画する場合や番組録画を指示するユーザが所有する記録再生装置の空き容量が少なくなった場合などユーザ自身が所有する記録再生装置での録画が困難な場合は、他のユーザが共有もしくは貸し出しを許可設定している記録再生装置を用いて番組録画を実行し、録画完了後に、他のユーザが所有する記録再生装置に録画された録画番組を、録画指示したユーザが所有する記録再生装置に移動する。
【先行技術文献】
【特許文献】
【０００４】
【特許文献１】特開２０００−２８５５９８号公報
【発明の概要】
【発明が解決しようとする課題】
【０００５】
しかしながら、上記特許文献１記載のシステムにおいて各ユーザが共有許可を記録再生装置に設定する場合、共有可能な「容量」、「日時」や「ユーザ」などのパラメータを細かく指定しなければならずユーザにとって負担がかかるという問題があった。
【０００６】
その結果、「記録再生装置全体を共有禁止」にするか、「記録再生装置全体を共有可能」にするといういずれかの設定にしてしまう可能性が高くなり、前者を設定した場合は、他ユーザ所有の記録再生装置による代理録画が実現できないという問題があった。一方、後者を設定した場合は、例えば、代理録画を許可したユーザの番組録画を実行中は、自身が所望する番組録画ができないという問題があった。また、他ユーザには不適切な（例えば年齢制限に抵触する）番組が意図せずに録画されてしまう問題もあった。
【０００７】
本発明は、上記事情に鑑みてなされたものであって、記録媒体に代理録画を実行する際に代理録画先のユーザに対して不都合な番組録画を防ぐことが可能な映像記録装置および映像記録方法を提供することを目的とする。
【課題を解決するための手段】
【０００８】
本発明の請求項１にかかる映像記録装置は、ユーザ情報を有する複数の記録媒体を接続可能な映像記録装置であって、番組を受信する映像受信部と、少なくとも日時情報、番組情報及び予約ユーザ情報を含む番組予約情報を記録する予約情報記録部と、番組予約情報の日時情報及び予約ユーザ情報に基づいて、番組情報で特定される番組を記録すべき記録媒体を特定する予約制御部と、特定された記録媒体に対して、映像受信部が受信した番組を記録させる記録制御部と、を備え、予約制御部は、予約ユーザ情報とユーザ情報が一致する記録媒体において番組情報で特定される番組を記録するための容量が不足する場合は、他のユーザが録画した番組に対して制限を行い、予約ユーザ情報とユーザ情報が一致する記録媒体が存在しない場合は、他のユーザが所有する記録媒体に対して代理録画を実行させる、ことを特徴とする。
【０００９】
また、本発明の請求項２にかかる映像記録装置は、本発明の請求項１にかかる映像記録装置の構成において、予約制御部は、他のユーザが所有する記録媒体に対して代理録画を実行させる場合に、他のユーザの視聴制限情報及び番組予約情報の番組情報に含まれる視聴制限情報に基づいて録画可否を判断する、ことを特徴とする。
【００１０】
また、本発明の請求項３にかかる映像記録方法は、ユーザ情報を有する複数の記録媒体を接続可能な映像記録装置における映像記録方法であって、少なくとも日時情報、番組情報及び予約ユーザ情報を含む番組予約情報を記録する予約情報記録ステップと、番組予約情報の日時情報及び予約ユーザ情報に基づいて、番組情報で特定される番組を記録すべき記録媒体を特定する予約制御ステップと、特定された記録媒体に対して、受信した番組を記録させる記録制御ステップと、を有し、予約制御ステップは、予約ユーザ情報とユーザ情報が一致する記録媒体において番組情報で特定される番組を記録するための容量が不足する場合は、他のユーザが録画した番組に対して制限を行い、予約ユーザ情報とユーザ情報が一致する記録媒体が存在しない場合は、他のユーザが所有する記録媒体に対して代理録画を実行させる、ことを特徴とする。
【００１１】
また、本発明の請求項４にかかる映像記録方法は、本発明の請求項３にかかる映像記録方法の構成において、予約制御ステップは、他のユーザが所有する記録媒体に対して代理録画を実行させる場合に、他のユーザの視聴制限情報及び番組予約情報の番組情報に含まれる視聴制限情報に基づいて録画可否を判断する、ことを特徴とする。
【発明の効果】
【００１２】
本発明によれば、空き容量が少なくなっている代理録画可能な録画媒体において、他ユーザが利用している領域に対して制限を加えることで、録画媒体を所有するユーザの録画阻害を防ぐことができる。
【００１３】
また、本発明によれば、録画制限のある番組を代理録画する録画媒体において、代理録画する録画媒体を所有するユーザ情報によって録画可否を決定することで、不適切な番組を録画媒体に記録することを防ぐことができる。
【図面の簡単な説明】
【００１４】
【図１】本発明の実施の形態１にかかる映像記録装置の構成を示すブロック図
【図２】本発明の実施の形態１にかかる予約情報の例を示す図
【図３】本発明の実施の形態１にかかるユーザ情報の例を示す図
【図４】本発明の実施の形態１にかかる録画実行処理を示すフローチャート
【図５】本発明の実施の形態１にかかる代理録画処理を示すフローチャート
【発明を実施するための形態】
【００１５】
（実施の形態１）
図１は、本発明の実施の形態１にかかる映像記録装置の構成を示すブロック図である。映像記録装置１０１は、ユーザ操作部１０２と、映像受信部１０３と、予約制御部１０４と、表示部１０５と、予約情報記録部１０６と、記録制御部１０７と、第１の記録媒体挿入部１０８と、第２の記録媒体挿入部１０９と、通信制御部１１０から構成される。映像記録装置１０１は、第１の記録媒体挿入部１０８に記録媒体Ａ１１１を挿入し、第２の記録媒体挿入部１０９に記録媒体Ｂ１１２を挿入し、通信制御部１１０に記録媒体Ｃ１１３を接続して、予約制御部１０４で特定された代理録画先の記録媒体に映像受信部１０３で受信した番組を録画させる。
【００１６】
ユーザ操作部１０２は、リモコン、キーボードなどの入力装置（図示せず）から入力された番組予約要求を予約制御部１０４に出力する。映像受信部１０３は、記録制御部１０７からの映像開始要求に応じて、対応する番組を放送波経由あるいはネットワーク経由で受信して記録制御部１０７へ出力する。
【００１７】
予約制御部１０４は、ユーザ操作部１０２から入力された番組予約要求に基づいて番組予約を行うための画面を作成し、表示部１０５に出力する。そして、表示部１０５に表示された画面上でユーザ操作部１０２を用いた番組録画予約が完了した場合に、番組録画予約情報を予約情報記録部１０６に出力する。また、所定タイミングで予約情報記録部１０６に記録された番組録画予約情報を参照し、予約された時間になったときに（あるいは予約された時間の所定時間前に）、番組録画予約情報の条件に最も合致する記録媒体を記録媒体が持つユーザ情報等に基づいて特定する。そして、特定した記録媒体に対する番組録画開始要求を記録制御部１０７へ出力して録画実行処理及び代理録画処理を実行する。予約制御部１０４が実施する録画実行処理及び代理録画処理については、後ほど図４、図５を用いて詳述する。
【００１８】
表示部１０５は、予約制御部１０４から入力された番組予約を行うための画面をモニタ（図示せず）等の表示画面に表示する。予約情報記録部１０６は、予約制御部１０４から入力された番組録画予約情報を記憶する。番組録画予約情報については、後ほど図２、図３を用いて説明する。
【００１９】
記録制御部１０７は、予約制御部１０４からの特定記録媒体に対する番組録画開始要求に応じて、映像受信部１０３に番組録画予約情報で指定されている映像の受信開始要求と、特定記録媒体を挿入した記録媒体挿入部あるいは特定記録媒体を接続した通信制御部１１０に対する録画開始要求を夫々出力する。
【００２０】
第１の記録媒体挿入部１０８には、ユーザ情報Ａを持つ記録媒体Ａ１１１を直接挿入する。第２の記録媒体挿入部１０９には、ユーザ情報Ｂを持つ記録媒体Ｂ１１２を挿入する。通信制御部１１０には、例えばケーブル等の媒体手段を介してユーザ情報Ｃを持つ記録媒体Ｃ１１３を接続する。なお、本実施の形態では、記録媒体Ａ１１１、記録媒体Ｂ１１２を物理的に第１の記録媒体挿入部１０８、第２の記録媒体挿入部１０９に挿入しているが、ハードディスクドライブのように記録媒体を映像記録装置１０１内部に抱える構成であってもよい。
【００２１】
ここで、図２を用いて番組録画予約情報を説明する。番組録画予約情報（以下、予約情報２０１と称す）は、少なくとも、日時情報２０２、録画ソース情報（チャンネル）２０３、予約を行った予約ユーザ情報２０４を保持する。予約制御部１０４は、日時情報２０２、録画ソース情報２０３及び予約ユーザ情報２０４を用いて録画開始時の記録媒体を決定する。予約ユーザ情報２０４は、図３に示すユーザ情報３０１に紐付けられる。ユーザ情報３０１はユーザを特定する情報、例えばユーザ名３０２とユーザのパレンタル情報（年齢制限情報）を特定する生年月日３０３を少なくとも保持するものである。このユーザ情報３０１を用いて予約ユーザ情報２０４は、複数のユーザを定義することが可能であり、一人もしくは複数のユーザをまとめたグループという上位の概念を定義することも可能である。
【００２２】
次に、図４を用いて本実施の形態にかかる録画実行処理について説明する。予約制御部１０４は、予約情報記録部１０６に記録された予約情報２０１の日時情報２０２で示される日時になった場合に、以下の録画実行処理を実施する。ここで、記録媒体Ａ１１１のユーザ情報Ａとして「ユーザ１」が設定され、記録媒体Ｂ１１２のユーザ情報Ｂとして「ユーザ３」が設定され、記録媒体Ｃ１１３のユーザ情報Ｃとして「ユーザ２」が設定されているとする。また、予約情報２０１の予約ユーザ情報２０４として「ユーザ１」が設定されているとする。
【００２３】
予約制御部１０４は、予約情報２０１の予約ユーザ情報２０４を確認して番組録画予約を行ったユーザを特定する（ステップＳ４０１）。そして、ステップＳ４０１で特定したユーザの情報と各記録媒体のユーザ情報に基づいて、録画すべき記録媒体を決定する（ステップＳ４０２）。詳述すれば、録画予約を行ったユーザ（予約ユーザ情報２０４）が「ユーザ１」である場合、（１）ユーザ１が保有する記録媒体、（２）所有するユーザ情報が存在しない記録媒体、（３）他ユーザの所有する記録媒体、といった優先順位で録画すべき記録媒体を決定する。つまり、本実施の形態の場合、記録媒体Ａ１１１、記録媒体Ｂ１１２、記録媒体Ｃ１１３の順に予約情報２０１で特定される番組を録画できるかどうか判断していく。
【００２４】
まず、（１）ユーザ１が保有する記録媒体（記録媒体Ａ１１１）について番組録画できるかどうかを判断する（ステップＳ４０３）。予約制御部１０４は、番組録画に必要な容量（番組時間とビットレートから算出するなど）と記録媒体Ａ１１１の空き容量とを比較して十分な容量があると判断した場合は（ステップＳ４０３で「Ｙ」）、記録制御部１０７に対して記録媒体Ａ１１１での録画開始を指示する（ステップＳ４０８）。
【００２５】
一方、記録媒体Ａ１１１で十分な空き容量がないと判断した場合は（ステップＳ４０３で「Ｎ」）、記録媒体Ａ１１１において、他ユーザに貸し出し中の領域があるかどうかを判断する（ステップＳ４０４）。他ユーザに貸し出し中の領域がない場合は（ステップＳ４０４で「Ｎ」）、代理録画処理を実行する（ステップＳ４０５）。代理録画処理については図５を用いて後ほど後述する。
【００２６】
他ユーザに貸し出し中の領域がある場合は（ステップＳ４０４で「Ｙ」）、貸し出し中の領域に対して、制限を加えた上で番組録画を開始する。すなわち、他ユーザに貸し出し中の領域に録画された録画済番組をコマーシャル毎やシーン毎にパート分割したり、ユーザの優先度が低いパートを削除したりして録画実行処理に必要な領域を確保し（ステップＳ４０６）、ステップＳ４０６でまだ領域が不足する場合には録画済番組を録画に使用したビットレートより低い値で再エンコードを行うことで領域を確保する（ステップＳ４０７）。エンコード処理は録画予約番組の録画開始前に行う場合や録画中に同時に行うケースが考えられるが、エンコードするための装置の確保ができることを条件に加えることも可能である。ステップＳ４０６及びステップＳ４０７での処理は画質が劣化するなどの不利な状況があるが他ユーザにとっての利便性を考慮しての救済処理である。なお、ステップＳ４０６及びステップＳ４０７の処理によっても記録容量が確保できない場合は、他ユーザに貸し出し中の領域に記録された録画済番組を削除してもよい。この場合、他ユーザの予約した番組録画を消去することになるが、記録媒体を所有するユーザが所望する番組を録画することができる利点がある。また、録画済番組消去については他ユーザ貸出し領域に一つの録画番組しか無いことを前提に説明したが、複数の番組が存在する場合には必要な領域を確保するために例えば、領域の小さなものから順番に消去するなどの組合せを考慮することも可能である。
【００２７】
次に、図５を用いて代理録画処理について説明する。予約制御部１０４は、（２）所有するユーザ情報が存在しない記録媒体、（３）他ユーザの所有する記録媒体に対して、代理録画を実行する。本実施の形態では、ユーザ１が予約した番組を、「ユーザ３」と設定された記録媒体Ｂ１１２または、「ユーザ２」と設定された記録媒体Ｃ１１３に記録させる。
【００２８】
まず、「ユーザ情報なし」の記録媒体が存在するかどうかを判断する（ステップＳ５０１）。「ユーザ情報なし」の記録媒体が存在する場合は（ステップＳ５０１で「Ｙ」）、記録制御部１０７に対してその記録媒体での録画開始を指示する（ステップＳ５０４）。
【００２９】
一方、「ユーザ情報なし」の記録媒体が存在しない場合は（ステップＳ５０１で「Ｎ」）、他ユーザが所有する記録媒体があるかどうかを判断する（ステップＳ５０２）。他ユーザの所有する記録媒体が存在する場合は（ステップＳ５０２で「Ｙ」）、その記録媒体が持つユーザ情報に記載された年齢制限情報（予約情報２０１の予約ユーザ情報２０４から参照されるユーザの生年月日情報３０３）と録画予約番組の年齢制限情報とを比較し適正なものかどうかを比較する（ステップＳ５０３）。適正なものと判断した場合は（ステップＳ５０３で「Ｙ」）、予約制御部１０４は、記録制御部１０７に対してその記録媒体での録画開始を指示する（ステップＳ５０４）。
【００３０】
一方、他ユーザが所有する記録媒体が存在しない場合（ステップＳ５０２で「Ｎ」）及び録画が不適切なものと判断した場合は（ステップＳ５０３で「Ｎ」）、録画を失敗させる（ステップＳ５０５）。なお、記録媒体に複数のユーザやグループが記録されている場合には、その中に含まれる最年少のユーザを比較対象とする。また、本実施の形態では番組録画の制限事項として年齢制限を記載したがその他の制限事項と成り得る条件を利用することも可能である。
【００３１】
なお、代理録画を実行する場合は、代理録画した録画済番組に対して、図４のステップＳ４０４からステップＳ４０７に示す他ユーザ貸し出し領域の制限処理を行ってもよい。
【産業上の利用可能性】
【００３２】
本発明は、複数の記録装置を制御する際に、複数の利用者が存在する環境での利便性の向上を図ることができる点で有用である。
【符号の説明】
【００３３】
１０１    映像記録装置
１０２    ユーザ操作部
１０３    映像受信部
１０４    予約制御部
１０５    表示部
１０６    予約情報記録部
１０７    記録制御部
１０８    第１の記録媒体挿入部
１０９    第２の記録媒体挿入部
１１０    通信制御部
１１１    記録媒体Ａ
１１２    記録媒体Ｂ
１１３    記録媒体Ｃ
【図１】
2011249967.tif 000003
【図２】
2011249967.tif 000004
【図３】
2011249967.tif 000005
【図４】
2011249967.tif 000006
【図５】
2011249967.tif 000007